(57)【要約】【課題】商品等の「物」を顧客の下へ移動させる手段と、顧客等の「人」を商品の提供される店舗へ移動させる手段とが包含されたサービス提供をする。【解決手段】顧客側端末から商品情報を取得する商品情報取得手段と、データベースから、取得した商品の宅配サービスを提供する宅配サービス提供者に関する宅配サービス提供者情報と、取得した商品を提供する販売サービス提供者に関する販売サービス提供者情報、及び販売場所までの顧客の移動手段を提供する移動サービス提供者に関する移動サービス提供者情報の組み合わせと、取得した商品の販売場所から顧客の下までの商品の移動手段を提供する移動サービス提供者に関する移動サービス提供者情報と、を検索する検索手段と、検索結果を、顧客側端末へ送信する検索結果送信手段と、を含む。【選択図】図１
2019159649.tif 000002
【特許請求の範囲】
【請求項１】
顧客側端末から、顧客が要望する商品に関する商品情報を取得する商品情報取得手段と、
前記商品の宅配サービスを提供する宅配サービス提供者に関する宅配サービス提供者情報、販売場所での前記商品の販売サービスを提供する販売サービス提供者に関する販売サービス提供者情報、及び顧客又は前記商品の移動手段を提供する移動サービス提供者に関する移動サービス提供者情報を格納したデータベースから、
前記商品情報取得手段が取得した前記商品情報の前記商品の宅配サービスを提供する宅配サービス提供者に関する宅配サービス提供者情報と、前記商品情報取得手段が取得した前記商品情報の前記商品の販売サービスを提供する販売サービス提供者に関する販売サービス提供者情報、及び前記販売サービス提供者の販売場所までの顧客の移動手段を提供する移動サービス提供者に関する移動サービス提供者情報の組み合わせと、前記商品情報取得手段が取得した前記商品情報の前記商品の販売場所から顧客の下までの前記商品の移動手段を提供する移動サービス提供者に関する移動サービス提供者情報と、を検索する検索手段と、
前記検索手段による検索結果を、前記顧客側端末へ送信する検索結果送信手段と、
を含む商品提供情報検索サーバ。
【請求項２】
前記顧客側端末から、前記検索手段による検索結果に基づく選択結果を取得する選択結果取得手段と、
前記選択結果取得手段によって取得した選択結果に応じて、前記商品情報を、予め有する顧客に関する顧客情報に関連づけて、宅配サービス提供者側の端末、販売サービス提供者側の端末、又は移動サービス提供者側の端末へ送信する仲介処理手段と、
を更に含む請求項１に記載の商品提供情報検索サーバ。
【請求項３】
前記検索手段による検索結果を用いて、顧客の要望に応じた特定の順序に検索結果をソート可能なソート手段を更に備え、
前記検索結果送信手段は、前記ソート手段によりソートされた検索結果を、前記顧客側端末へ送信する請求項１又は２に記載の商品提供情報検索サーバ。
【請求項４】
前記ソート手段は、
前記特定の順序として、少なくとも、商品の提供に要する価格が安い順、商品の提供に要する時間が早い順、及び商品の提供を顧客が希望する時間に近い順に、前記検索手段による検索結果をソートできる請求項３に記載の商品提供情報検索サーバ。
【請求項５】
前記検索手段による検索結果を用いて、顧客により選択された特定の情報を含む検索結果のみに絞り込む絞り込み手段を更に備え、
前記検索結果送信手段は、前記絞り込み手段により絞り込まれた検索結果を、前記顧客側端末へ送信する請求項１から請求項４の何れか１項に記載の商品提供情報検索サーバ。
【請求項６】
請求項１から請求項５の何れか１項に記載の商品提供情報検索サーバと、
前記商品提供情報検索サーバから、前記検索手段による検索結果を受信する前記顧客側端末と、
を備える売買仲介システム。
【請求項７】
前記顧客側端末は、
前記検索結果送信手段から送信される検索結果を、顧客の要望に応じた特定の順序にソート可能な顧客側ソート手段を備える請求項６に記載の売買仲介システム。
【請求項８】
前記顧客側ソート手段は、
前記特定の順序として、少なくとも、商品の提供に要する価格が安い順、商品の提供に要する時間が早い順、及び商品の提供を顧客が希望する時間に近い順に、前記検索結果送信手段から送信される検索結果をソートできる請求項７に記載の売買仲介システム。
【請求項９】
前記顧客側端末は、
前記検索結果送信手段から送信される検索結果を、顧客により選択された特定の情報を含む検索結果のみに絞り込む顧客側絞り込み手段を更に備える請求項６から請求項８の何れか１項に記載の売買仲介システム。
【請求項１０】
前記商品は食品であり、
顧客が所有する食品が収納され、当該収納されている食品に関する収納情報を前記顧客側端末に送信可能な収納装置を備え、
前記顧客側端末は、
取得した前記商品情報、及び前記収納装置から送信される前記収納情報に基づいて、顧客が要望する食品のうち不足している食材のみを導出する導出手段を更に備える請求項６から請求項９の何れか１項に記載の売買仲介システム。
【発明の詳細な説明】
【技術分野】
【０００１】
本発明は、商品提供情報検索サーバ及び売買仲介システムに関する。
【背景技術】
【０００２】
注文した商品が顧客の自宅等まで宅配される宅配サービスが存在する。しかし、この宅配サービスは、宅配サービスを行う宅配店毎に宅配可能な地域が限定されている。そのため、上記の宅配サービスでは、宅配店から遠く離れた場所への宅配を行うことができなかった。
【０００３】
上記の問題を解決すべく、特許文献１には、宅配店から遠く離れた場所であっても、その宅配店の宅配サービスを請け負う宅配請負人を設けることにより、宅配サービスを受けることができる宅配サービス仲介システムが記載されている。
【先行技術文献】
【特許文献】
【０００４】
【特許文献１】特開２００９−８０５６５号公報
【発明の概要】
【発明が解決しようとする課題】
【０００５】
しかし、特許文献１に記載の技術は、商品等の「物」を配達する思想を有するものであり、宅配店等の実店舗に顧客を移動させる等の「人」を運ぶ思想を有していない。ここで、顧客には、自己が要望する商品を取得することに際し、種々の条件から商品の取得方法を選択したいとの要求がある。具体的には、「実店舗に出向いて商品を見たい」、「贔屓にしている店舗がある」、又は「要する費用や時間を比較したうえで、宅配サービスと実店舗へ出向くこととを選択したい」等との要求である。
【０００６】
そこで、本発明は、商品等の「物」を顧客の下へ移動させる手段と、顧客等の「人」を商品の提供される店舗へ移動させる手段とが包含されたサービスの提供を目的とする。
【課題を解決するための手段】
【０００７】
上記課題を解決するために、本発明は、以下のような構成を備える。
（第１の発明）
第１の発明に係る商品提供情報検索サーバは、顧客側端末から、顧客が要望する商品に関する商品情報を取得する商品情報取得手段と、前記商品の宅配サービスを提供する宅配サービス提供者に関する宅配サービス提供者情報、販売場所での前記商品の販売サービスを提供する販売サービス提供者に関する販売サービス提供者情報、及び顧客又は前記商品の移動手段を提供する移動サービス提供者に関する移動サービス提供者情報を格納したデータベースから、前記商品情報取得手段が取得した前記商品情報の前記商品の宅配サービスを提供する宅配サービス提供者に関する宅配サービス提供者情報と、前記商品情報取得手段が取得した前記商品情報の前記商品の販売サービスを提供する販売サービス提供者に関する販売サービス提供者情報、及び前記販売サービス提供者の販売場所までの顧客の移動手段を提供する移動サービス提供者に関する移動サービス提供者情報の組み合わせと、前記商品情報取得手段が取得した前記商品情報の前記商品の販売場所から顧客の下までの前記商品の移動手段を提供する移動サービス提供者に関する移動サービス提供者情報と、を検索する検索手段と、前記検索手段による検索結果を、前記顧客側端末へ送信する検索結果送信手段と、を含む。
【０００８】
（第２の発明）
第２の発明に係る商品提供情報検索サーバは、請求項１に記載の商品提供情報検索サーバであって、前記顧客側端末から、前記検索手段による検索結果に基づく選択結果を取得する選択結果取得手段と、前記選択結果取得手段によって取得した選択結果に応じて、前記商品情報を、予め有する顧客に関する顧客情報に関連づけて、宅配サービス提供者側の端末、販売サービス提供者側の端末、又は移動サービス提供者側の端末へ送信する仲介処理手段と、を更に含む。
【０００９】
（第３の発明）
第３の発明に係る商品提供情報検索サーバは、請求項１又は２に記載の商品提供情報検索サーバであって、前記検索手段による検索結果を用いて、顧客の要望に応じた特定の順序に検索結果をソート可能なソート手段を更に備え、前記検索結果送信手段は、前記ソート手段によりソートされた検索結果を、前記顧客側端末へ送信する。
【００１０】
（第４の発明）
第４の発明に係る商品提供情報検索サーバは、請求項３に記載の商品提供情報検索サーバであって、前記ソート手段は、前記特定の順序として、少なくとも、商品の提供に要する価格が安い順、商品の提供に要する時間が早い順、及び商品の提供を顧客が希望する時間に近い順に、前記検索手段による検索結果をソートできる。
【００１１】
（第５の発明）
第５の発明に係る商品提供情報検索サーバは、請求項１から請求項４の何れか１項に記載の商品提供情報検索サーバであって、前記検索手段による検索結果を用いて、顧客により選択された特定の情報を含む検索結果のみに絞り込む絞り込み手段を更に備え、前記検索結果送信手段は、前記絞り込み手段により絞り込まれた検索結果を、前記顧客側端末へ送信する。
【００１２】
（第６の発明）
第６の発明に係る売買仲介システムは、請求項１から請求項５の何れか１項に記載の商品提供情報検索サーバと、前記商品提供情報検索サーバから、前記検索手段による検索結果を受信する前記顧客側端末と、を備える。
【００１３】
（第７の発明）
第７の発明に係る売買仲介システムは、請求項６に記載の売買仲介システムであって、前記顧客側端末は、前記検索結果送信手段から送信される検索結果を、顧客の要望に応じた特定の順序にソート可能な顧客側ソート手段を備える。
【００１４】
（第８の発明）
第８の発明に係る売買仲介システムは、請求項７に記載の売買仲介システムであって、前記顧客側ソート手段は、前記特定の順序として、少なくとも、商品の提供に要する価格が安い順、商品の提供に要する時間が早い順、及び商品の提供を顧客が希望する時間に近い順に、前記検索結果送信手段から送信される検索結果をソートできる。
【００１５】
（第９の発明）
第９の発明に係る売買仲介システムは、請求項６から請求項８の何れか１項に記載の売買仲介システムであって、前記顧客側端末は、前記検索結果送信手段から送信される検索結果を、顧客により選択された特定の情報を含む検索結果のみに絞り込む顧客側絞り込み手段を更に備える。
【００１６】
（第１０の発明）
第１０の発明に係る売買仲介システムは、請求項６から請求項９の何れか１項に記載の売買仲介システムであって、前記商品は食品であり、顧客が所有する食品が収納され、当該収納されている食品に関する収納情報を前記顧客側端末に送信可能な収納装置を備え、前記顧客側端末は、取得した前記商品情報、及び前記収納装置から送信される前記収納情報に基づいて、顧客が要望する食品のうち不足している食材のみを導出する導出手段を更に備える。
【発明の効果】
【００１７】
本発明によれば、商品等の「物」を顧客の下へ移動させる手段と、顧客等の「人」を商品の提供される店舗へ移動させる手段とが包含されたサービスを提供することができる。
【図面の簡単な説明】
【００１８】
【図１】第１の実施形態における売買仲介システムのシステム構成を示す模式図である。
【図２】第１の実施形態における顧客側端末の構成を示すブロック図である。
【図３】第１の実施形態における商品提供情報検索サーバの構成を示すブロック図である。
【図４】第１の実施形態におけるソート処理を行うことにより、特定の順序にソートされた検索結果の表示例を示す図である。
【図５】第１の実施形態におけるソート処理を行うことにより、特定の順序にソートされた検索結果の表示例を示す図である。
【図６】第１の実施形態におけるソート処理を行うことにより、特定の順序にソートされた検索結果の表示例を示す図である。
【図７】第１の実施形態における絞り込み処理の実行中における絞り込み条件の表示例を示す図（Ａ）及び絞り込み処理を行った結果の検索結果の表示例を示す図（Ｂ）である。
【図８】第１の実施形態における売買仲介システムの流れを示す図である。
【図９】第２の実施形態における売買仲介システムのシステム構成を示す模式図である。
【図１０】第２の実施形態における顧客側端末の構成を示すブロック図である。
【図１１】第２の実施形態における売買仲介システムの流れを示す図である。
【発明を実施するための形態】
【００１９】
（第１の実施形態）
以下、図面を参照して、第１の実施形態における売買仲介システム１０について説明する。
図１は、第１の実施形態における売買仲介システム１０のシステム構成を示す模式図である。この売買仲介システム１０は、顧客、宅配サービス提供者、販売サービス提供者及び移動サービス提供者との間の取引を仲介するものである。
【００２０】
「宅配サービス提供者」とは、商品の宅配サービスを提供する事業者である。例えば、宅配サービス提供者には、「デリバリー（配食）業者」、「宅配・ネットスーパー業者」、「移動スーパー業者」等が含まれる。
【００２１】
「販売サービス提供者」とは、販売場所での商品の販売サービスを提供する事業者である。例えば、販売サービス提供者には、百貨店、スーパーマーケット、及び専門店等の「店舗型の小売店」や、レストラン、居酒屋等の「飲食店」が含まれる。
【００２２】
「移動サービス提供者」とは、顧客又は商品の移動手段を提供する事業者である。例えば、移動サービス提供者には、「宅配業者」、「買物代行業者」、「モビリティサービス業者（人の移動手段を提供する業者）」等が含まれる。
【００２３】
図１に示すように、売買仲介システム１０は、複数の顧客側端末１００と、商品提供情報検索サーバ２００と、複数の宅配サービス提供者側端末３００と、複数の販売サービス提供者側端末４００と、複数の移動サービス提供者側端末５００と、を備えている。なお、第１の実施形態では、「商品」を「食品」とし、顧客が要望する「食品」を取得するための売買仲介システム１０について説明する。以下では、「食品」と記載する場合には、完成品（例：オムライス）と材料（例：卵、牛乳）との双方を示しており、「食材」と記載する場合には、材料のみを示している。
【００２４】
顧客側端末１００は、一例として、顧客が所有するスマートフォンである。顧客側端末１００は、インターネットや、ＬＡＮ(Local Area Network)、ＷＡＮ(Wide Area Network)等のネットワークを介して商品提供情報検索サーバ２００と接続される。
商品提供情報検索サーバ２００は、上記のネットワークを介して顧客側端末１００、宅配サービス提供者側端末３００、販売サービス提供者側端末４００、及び移動サービス提供者側端末５００の各々と接続される。
【００２５】
宅配サービス提供者側端末３００は、一例として、宅配サービス提供者が所有するスマートフォン、タブレット端末、又はＰＣ（パーソナルコンピュータ）等の通信端末である。宅配サービス提供者側端末３００は、上記のネットワークを介して商品提供情報検索サーバ２００と接続される。
【００２６】
販売サービス提供者側端末４００は、一例として、販売サービス提供者が所有するスマートフォン、タブレット端末、又はＰＣ（パーソナルコンピュータ）等の通信端末である。販売サービス提供者側端末４００は、上記のネットワークを介して商品提供情報検索サーバ２００と接続される。
【００２７】
移動サービス提供者側端末５００は、一例として、移動サービス提供者が所有するスマートフォン、タブレット端末、又はＰＣ（パーソナルコンピュータ）等の通信端末である。移動サービス提供者側端末５００は、上記のネットワークを介して商品提供情報検索サーバ２００と接続される。
【００２８】
図２は、第１の実施形態における顧客側端末１００の構成を示すブロック図である。
図２に示すように、顧客側端末１００は、制御手段１１０と、記憶手段１２０と、操作手段１３０と、表示手段１４０と、通信手段１５０と、を備えている。
【００２９】
制御手段１１０は、ＣＰＵ１１２(Central Processing Unit)、ＲＯＭ１１４(Read Only Memory)、ＲＡＭ１１６(Random Access Memory)、及び入出力インターフェース（Ｉ／Ｏ１１８）を備えており、これら各部がバスを介して各々接続されている。
【００３０】
Ｉ／Ｏ１１８には、記憶手段１２０と、操作手段１３０と、表示手段１４０と、通信手段１５０と、を含む各機能手段が接続されている。これらの各機能手段は、Ｉ／Ｏ１１８を介して、ＣＰＵ１１２と相互に通信可能とされている。
【００３１】
記憶手段１２０としては、例えば、ＳＳＤ(Solid State Drive)やフラッシュメモリ等が用いられている。記憶手段１２０には、第１の実施形態における注文処理を実行するための注文処理プログラム１２０Ａが記憶されている。なお、記憶手段１２０では、例えば、商品提供情報検索サーバ２００が提供するＷｅｂサイトからダウンロードすることにより注文処理プログラム１２０Ａが取得される。
【００３２】
また、記憶手段１２０は、食品に関する食品情報が記憶される食品情報データベース１２０Ｂを有している。この食品情報には、完成品（例：オムライス）のみを示す情報と、完成品（例：オムライス）の調理に必要な食材（例：卵、牛乳等）を示す情報と、が含まれている。
【００３３】
操作手段１３０には、電源ボタンや各種の操作ボタン等が設けられている。
表示手段１４０には、例えば、液晶ディスプレイ(ＬＣＤ:Liquid Crystal Display)や有機ＥＬ(Electro Luminescence)ディスプレイ等が用いられている。この表示手段１４０は、顧客が顧客側端末１００の操作を行うためのタッチパネルを表示面と一体的に有している。そのため、第１の実施形態では、顧客が表示手段１４０を操作することにより、顧客が要望する食品に関する食品情報が顧客側端末１００に入力されることとなっている。
【００３４】
通信手段１５０は、上記のネットワークに接続されており、商品提供情報検索サーバ２００とこのネットワークを介して通信を可能とするものである。第１の実施形態では、通信手段１５０とネットワークとは無線で接続されている。
【００３５】
図３は、第１の実施形態における商品提供情報検索サーバ２００の構成を示すブロック図である。
図３に示すように、商品提供情報検索サーバ２００は、制御手段２１０と、記憶手段２２０と、通信手段２３０と、を備えている。
【００３６】
制御手段２１０は、ＣＰＵ２１２、ＲＯＭ２１４、ＲＡＭ２１６、及びＩ／Ｏ２１８を備えており、これら各部がバスを介して各々接続されている。
Ｉ／Ｏ２１８には、記憶手段２２０と、通信手段２３０と、を含む各機能手段が接続されている。これらの各機能手段は、Ｉ／Ｏ２１８を介して、ＣＰＵ２１２と相互に通信可能とされている。
【００３７】
記憶手段２２０としては、例えば、ＨＤＤ(Hard Disk Drive)、ＳＳＤ、又はフラッシュメモリ等が用いられている。記憶手段２２０には、注文処理プログラム２２０Ａが記憶されている。この注文処理プログラム２２０Ａは、商品提供情報検索サーバ２００に予めインストールされている。なお、これに限らず、注文処理プログラム２２０Ａは、不揮発性の記憶媒体に記憶して、又はネットワークを介して配布し、商品提供情報検索サーバ２００に適宜インストールすることとしてもよい。
【００３８】
また、記憶手段２２０には、宅配サービス提供者データベース２２０Ｂ、販売サービス提供者データベース２２０Ｃ、移動サービス提供者データベース２２０Ｄ及び顧客データベース２２０Ｅが記憶されている。
【００３９】
宅配サービス提供者データベース２２０Ｂは、宅配サービス提供者に関する宅配サービス提供者情報が登録されている。この宅配サービス提供者情報には、宅配サービス提供者の「名称」、「所在地の住所」、「連絡先」及び「宅配サービス」を示す情報等が含まれている。この「宅配サービス」を示す情報には、取り扱う食品に関する取扱食品情報と、食品の価格に関する食品価格情報と、食品を顧客の下へ配達する価格に関する移動提供価格情報と、食品を顧客の下へ配達可能な時間に関する提供可能時間情報と、が含まれている。なお、宅配サービス提供者情報は、宅配サービス提供者側端末３００から情報が送信される都度更新される。
【００４０】
販売サービス提供者データベース２２０Ｃは、販売サービス提供者に関する販売サービス提供者情報が登録されている。この販売サービス提供者情報には、販売サービス提供者の「名称」、「所在地の住所」、「連絡先」及び「販売サービス」を示す情報等が含まれている。この「販売サービス」を示す情報には、取扱食品情報と、食品価格情報と、が含まれている。なお、販売サービス提供者情報は、販売サービス提供者側端末４００から情報が送信される都度更新される。
【００４１】
移動サービス提供者データベース２２０Ｄは、移動サービス提供者に関する移動サービス提供者情報が登録されている。この移動サービス提供者情報には、移動サービス提供者の「名称」、「所在地の住所」、「連絡先」及び「移動サービス」を示す情報等が含まれている。この「移動サービス」を示す情報には、移動サービスを提供可能な販売サービス提供者の販売場所を示す移動手段提供可能情報と、移動提供価格情報と、提供可能時間情報と、が含まれている。なお、移動サービス提供者情報は、移動サービス提供者側端末５００から情報が送信される都度更新される。
【００４２】
顧客データベース２２０Ｅは、顧客に関する顧客情報が登録されている。この顧客情報には、例えば、顧客の「氏名」、「住所」及び「連絡先」を示す情報と、各顧客側端末１００を識別する「識別情報」とが含まれている。この「識別情報」は、各顧客側端末１００を識別するための端末固有の情報であって、例えば、ＭＡＣ(Media Access Control)アドレスや、ＳＩＭ(Subscriber Identity Module)カードのＩＤ(Identification)番号や、顧客により入力された顧客ＩＤ等が含まれる。
【００４３】
通信手段２３０は、上記のネットワークに接続されており、顧客側端末１００、宅配サービス提供者側端末３００、販売サービス提供者側端末４００、及び移動サービス提供者側端末５００とこのネットワークを介して通信を可能とするものである。第１の実施形態では、通信手段２３０とネットワークとは無線で接続されている。
【００４４】
次に、図２及び図３を参照して、顧客側端末１００のＣＰＵ１１２、及び商品提供情報検索サーバ２００のＣＰＵ２１２の機能的な構成について説明する。
【００４５】
図２に示すように、顧客側端末１００のＣＰＵ１１２は、取得手段１１２Ａ、顧客側ソート手段１１２Ｂ、顧客側絞り込み手段１１２Ｃ、及び送信処理手段１１２Ｄとして機能する。ＣＰＵ１１２は、記憶手段１２０に記憶されている注文処理プログラム１２０ＡをＲＡＭ１１６に書き込んで実行することにより、これら各手段として機能する。
【００４６】
取得手段１１２Ａは食品情報を取得するものである。具体的には、取得手段１１２Ａは、顧客により表示手段１４０が操作された場合、顧客による表示手段１４０の操作態様を解析して対応する食品情報を記憶手段１２０の食品情報データベース１２０Ｂから取得する。
【００４７】
顧客側ソート手段１１２Ｂは、後述する検索結果送信手段２１２Ｃから送信される検索結果を、顧客の要望に応じた特定の順序にソート可能なものである。そして、第１の実施形態では、顧客側ソート手段１１２Ｂによりソートされた検索結果が当該ソートに対応する特定の順序で表示手段１４０に表示される（図４から図６参照）。この詳細については後述する。
【００４８】
顧客側絞り込み手段１１２Ｃは、後述する検索結果送信手段２１２Ｃから送信される検索結果を、顧客により選択された特定の情報を含む検索結果のみに絞り込むものである。そして、第１の実施形態では、顧客側絞り込み手段１１２Ｃにより検索結果を絞り込むための絞り込み条件、及び特定の情報を含む検索結果のみが表示手段１４０に表示される（図７参照）。この詳細については後述する。
【００４９】
送信処理手段１１２Ｄは、食品情報を商品提供情報検索サーバ２００に送信する処理を行うものである。なお、この「食品情報」には、送信元の顧客側端末１００を識別する上記の「識別情報」が紐付けられており、何れの顧客側端末１００から「食品情報」が送信されたか否かが識別可能となっている。また、送信処理手段１１２Ｄは、後述する検索手段２１２Ｂによる検索結果に基づく選択結果を商品提供情報検索サーバ２００に送信する処理を行う。
【００５０】
図３に示すように、商品提供情報検索サーバ２００のＣＰＵ２１２は、商品情報取得手段２１２Ａ、検索手段２１２Ｂ、検索結果送信手段２１２Ｃ、選択結果取得手段２１２Ｄ及び仲介処理手段２１２Ｅとして機能する。ＣＰＵ２１２は、記憶手段２２０に記憶されている注文処理プログラム２２０ＡをＲＡＭ２１６に書き込んで実行することにより、これら各手段として機能する。
【００５１】
商品情報取得手段２１２Ａは、通信手段２３０を介して、顧客側端末１００から送信されてくる食品情報を取得するものである。
【００５２】
検索手段２１２Ｂは、記憶手段２２０から所定の情報を検索するものである。
検索手段２１２Ｂは、記憶手段２２０に記憶された各データベースから、商品情報取得手段２１２Ａが取得した食品情報の食品の宅配サービスを提供する宅配サービス提供者に関する宅配サービス提供者情報と、商品情報取得手段２１２Ａが取得した食品情報の食品の販売サービスを提供する販売サービス提供者に関する販売サービス提供者情報、及びその販売サービス提供者の販売場所までの顧客の移動手段を提供する移動サービス提供者に関する移動サービス提供者情報の組み合わせと、商品情報取得手段２１２Ａが取得した食品情報の食品の販売場所から顧客の下までの食品の移動手段を提供する移動サービス提供者に関する移動サービス提供者情報と、を検索する。
【００５３】
また、検索手段２１２Ｂは、商品情報取得手段２１２Ａが取得した食品情報を顧客情報に関連づけるべく、当該食品情報に紐付く識別情報を用いて、記憶手段２２０の顧客データベース２２０Ｅから食品情報の送信元の顧客側端末１００に対応する顧客情報を検索する。
【００５４】
検索結果送信手段２１２Ｃは、検索手段２１２Ｂによる検索結果を顧客側端末１００へ送信するものである。具体的には、検索結果送信手段２１２Ｃは、検索手段２１２Ｂによる検索結果のうち、上記の宅配サービス提供者情報と、上記の販売サービス提供者情報、及び上記の移動サービス提供者情報の組み合わせと、上記の移動サービス提供者情報を顧客側端末１００へ送信する。
【００５５】
選択結果取得手段２１２Ｄは、顧客側端末１００から、検索手段２１２Ｂによる検索結果に基づく選択結果を取得するものである。具体的には、選択結果取得手段２１２Ｄは、検索結果送信手段２１２Ｃにより送信された上記の検索手段２１２Ｂによる検索結果の中から、顧客により選択された検索結果を選択結果として取得する。
【００５６】
仲介処理手段２１２Ｅは、選択結果取得手段２１２Ｄによって取得した選択結果に応じて、食品情報を顧客情報に関連づけて、宅配サービス提供者側端末３００、販売サービス提供者側端末４００、又は移動サービス提供者側端末５００へ送信するものである。具体的には、仲介処理手段２１２Ｅは、商品情報取得手段２１２Ａが取得した食品情報と、この食品情報に紐付く識別情報を用いて検索手段２１２Ｂが検索した顧客情報とを注文情報として、選択結果取得手段２１２Ｄが取得した選択結果に応じた宅配サービス提供者側端末３００、販売サービス提供者側端末４００、又は移動サービス提供者側端末５００へ送信する。
【００５７】
次に、図４から図７を参照して、顧客側ソート手段１１２Ｂによるソート処理、及び顧客側絞り込み手段１１２Ｃによる絞り込み処理について説明する。第１の実施形態では、顧客側ソート手段１１２Ｂによるソート処理を行うことにより、特定の順序として、食品の提供に要する価格が安い順（以下、「価格順」とする）、食品の提供に要する時間が早い順（以下、「提供時間順」とする）、及び食品の提供を顧客が希望する時間に近い順（以下、「希望時間順」とする）に、検索結果送信手段２１２Ｃから送信される検索結果をソートすることができる。
【００５８】
図４から図６は、ソート処理を行うことにより、特定の順序にソートされた検索結果の表示例を示す図である。
【００５９】
図４に示すように、表示手段１４０には、検索結果送信手段２１２Ｃから送信された検索結果が表示されている。そして、検索結果が表示された状態における表示手段１４０には、その上方左側にプルダウンメニュー１４１が表示され、プルダウンメニュー１４１の右側には絞り込みスイッチ１４２が表示されている。第１の実施形態では、このプルダウンメニュー１４１を操作することにより、少なくとも、「価格順」、「提供時間順」及び「希望時間順」を示す項目が展開される（図示せず）。そして、顧客が当該展開された中から所望の項目を選択したことに基づいて、顧客側ソート手段１１２Ｂによるソート処理が行われる。
【００６０】
ここで、顧客がプルダウンメニュー１４１の中から「価格順」の項目を選択した場合には、図４に示すように、表示手段１４０に検索結果が価格順で表示される。
また、顧客がプルダウンメニュー１４１の中から「提供時間順」の項目を選択した場合には、図５に示すように、表示手段１４０に検索結果が提供時間順で表示される。さらに、この場合には、各サービス提供者が食品を提供可能な時間を示す提供時間情報１４３が表示手段１４０に表示される。
【００６１】
また、顧客がプルダウンメニュー１４１の中から「希望時間順」の項目を選択した場合には、図６に示すように、表示手段１４０に検索結果が希望時間順で表示される。さらに、この場合には、各サービス提供者が食品を提供可能な時間と、顧客が食品の提供を希望する時間との差を示す差分情報１４４が表示手段１４０に表示される。
【００６２】
一方、第１の実施形態では、上記の絞り込みスイッチ１４２を操作することにより、顧客側絞り込み手段１１２Ｃによる絞り込み処理が開始され、図７（Ａ）に示す絞り込み条件メニュー１４５が展開される。ここで、第１の実施形態では、顧客が検索結果を絞り込むための特定の情報として、図７（Ａ）に示すように、「役務の種類」、「価格」、「時間」及び「評価」に関する情報が設けられている。
【００６３】
そして、顧客が当該展開された絞り込み条件メニュー１４５の中から所望する特定の情報を選択した後、表示手段１４０の下方に表示された絞り込み開始ボタン１４６を操作したことに基づいて、図７（Ｂ）に示す絞り込み結果に対応する検索結果が表示される。
【００６４】
次に、図８を参照して、第１の実施形態における売買仲介システム１０の流れについて説明する。
図８は、第１の実施形態における売買仲介システム１０の流れを示す図である。
【００６５】
図８に示すように、まず、顧客側端末１００では、食品情報の取得を行う食品情報取得処理が行われる。具体的には、食品情報取得処理では、取得手段１１２Ａにより顧客による表示手段１４０の操作態様が解析され、当該解析結果に対応する食品情報が記憶手段１２０の食品情報データベース１２０Ｂから取得される。
【００６６】
顧客側端末１００は、食品情報取得処理が終了したことに基づいて、食品情報取得処理で取得した食品情報を、送信処理手段１１２Ｄにより商品提供情報検索サーバ２００に送信する。
【００６７】
商品提供情報検索サーバ２００では、顧客側端末１００から食品情報を受信したことに基づいて、当該受信した食品情報の食品に対応するサービスを提供可能な各サービス提供者を検索する検索処理が行われる。具体的には、検索処理では、検索手段２１２Ｂにより、記憶手段２２０に記憶された各データベースから、商品情報取得手段２１２Ａが取得した食品情報の食品の宅配サービスを提供する宅配サービス提供者に関する宅配サービス提供者情報と、商品情報取得手段２１２Ａが取得した食品情報の食品の販売サービスを提供する販売サービス提供者に関する販売サービス提供者情報、及びその販売サービス提供者の販売場所までの顧客の移動手段を提供する移動サービス提供者に関する移動サービス提供者情報の組み合わせと、商品情報取得手段２１２Ａが取得した食品情報の食品の販売場所から顧客の下までの食品の移動手段を提供する移動サービス提供者に関する移動サービス提供者情報と、が検索される。なお、この検索処理では、検索手段２１２Ｂにより、商品情報取得手段２１２Ａが取得した食品情報に紐付く識別情報を用いて、記憶手段２２０の顧客データベース２２０Ｅから食品情報の送信元の顧客側端末１００に対応する顧客情報も検索される。
【００６８】
商品提供情報検索サーバ２００は、検索処理が終了したことに基づいて、検索結果送信手段２１２Ｃにより、上記の検索処理で検索された検索手段２１２Ｂによる検索結果のうち、上記の宅配サービス提供者情報と、上記の販売サービス提供者情報、及び上記の移動サービス提供者情報の組み合わせと、上記の移動サービス提供者情報とを顧客側端末１００へ送信する。
【００６９】
顧客側端末１００では、商品提供情報検索サーバ２００から送信された検索結果を表示手段１４０に表示する表示処理が行われる。第１の実施形態では、表示処理において、デフォルトで表示される検索結果の順序は、「価格順」や「提供時間順」等の規則性を有していない。つまり、表示処理では、検索結果がランダムに表示手段１４０に表示される。
【００７０】
顧客側端末１００では、表示処理に続いて、検索結果のソート及び／又は絞り込みを行うソート処理・絞り込み処理が行われる。
【００７１】
ソート処理・絞り込み処理のうち、ソート処理では、顧客が表示手段１４０に表示されたプルダウンメニュー１４１の中から所望の項目を選択することで、顧客側ソート手段１１２Ｂにより顧客が選択した特定の順序に検索結果がソートされる。
【００７２】
ソート処理・絞り込み処理のうち、絞り込み処理では、まず、顧客が表示手段１４０に表示された絞り込みスイッチ１４２を操作することにより絞り込み条件メニュー１４５が展開される。次に、この絞り込み処理では、顧客により絞り込み条件メニュー１４５の中から所望する特定の情報が選択された後、絞り込み開始ボタン１４６が操作されることで、顧客側絞り込み手段１１２Ｃによる絞り込みが行われ、表示手段１４０に絞り込み結果に対応する検索結果が表示される。
【００７３】
顧客側端末１００では、ソート処理・絞り込み処理が終了したことに基づいて、送信処理手段１１２Ｄにより、検索手段２１２Ｂによる検索結果に基づく選択結果を商品提供情報検索サーバ２００に送信する。なお、この選択結果は、顧客が表示手段１４０を操作することにより決定される。
【００７４】
商品提供情報検索サーバ２００では、顧客側端末１００から選択結果を受信したことに基づいて、仲介処理手段２１２Ｅにより、宅配サービス提供者側端末３００、販売サービス提供者側端末４００、又は移動サービス提供者側端末５００へ注文情報を送信する。図８に示す一例においては、商品提供情報検索サーバ２００は、仲介処理手段２１２Ｅにより、商品情報取得手段２１２Ａが取得した食品情報と、この食品情報に紐付く識別情報を用いて検索手段２１２Ｂが検索した顧客情報とを注文情報として、選択結果取得手段２１２Ｄが取得した選択結果に応じた宅配サービス提供者側端末３００へ送信している。
【００７５】
（第１の実施形態の作用効果）
第１の実施形態の構成によれば、以下の作用効果を奏する。
第１の実施形態では、上記のように、商品情報取得手段２１２Ａと、検索手段２１２Ｂと、検索結果送信手段２１２Ｃと、を少なくとも含む商品提供情報検索サーバ２００を備えている。
【００７６】
これにより、第１の実施形態では、商品提供情報検索サーバ２００からは、顧客側端末１００に対して検索手段２１２Ｂによる検索結果が送信される。
ここで、顧客には、取引活動を行うにあたり、店舗へ足を運んで自ら食品を選びたいとの要求や、食品を自己の下へ配達してほしいとの要求等が存在する。そのため、顧客が食品を取得するためのサービスにおいて、食品等の「物」を顧客の下へ移動させる手段と、顧客等の「人」を食品の提供される店舗へ移動させる手段とを区別する必要はない。
【００７７】
そこで、第１の実施形態における商品提供情報検索サーバ２００は、上記のように構成されているため、顧客側端末１００に対して、検索手段２１２Ｂによる検索結果として、商品等の「物」を顧客の下へ移動させる手段と、顧客等の「人」を商品の提供される店舗へ移動させる手段とが包含されたサービスを提供することができる。
【００７８】
また、第１の実施形態では、商品提供情報検索サーバ２００は、上記のように、選択結果取得手段２１２Ｄと、仲介処理手段２１２Ｅと、を更に含んでいる。
これにより、第１の実施形態によれば、商品提供情報検索サーバ２００を介して、顧客、宅配サービス提供者、販売サービス提供者及び移動サービス提供者との間の取引を仲介することができる。
【００７９】
また、第１の実施形態では、上記のように、顧客側ソート手段１１２Ｂを少なくとも含む顧客側端末１００を備えている。
ここで、第１の実施形態では、商品提供情報検索サーバ２００から顧客側端末１００に対しては、図８に示す検索処理で検索された検索手段２１２Ｂによる検索結果のうち、上記の宅配サービス提供者情報と、上記の販売サービス提供者情報、及び上記の移動サービス提供者情報の組み合わせと、上記の移動サービス提供者情報との全てを送信することとしている。例えば、第１の実施形態では、移動サービス提供者による顧客の移動先の販売サービス提供者の販売場所が、その顧客の住所から離れた地域であっても（例：移動先の販売場所「横浜」、顧客の住所「東京」）、その移動サービス提供者に対応する移動サービス提供者情報を顧客側端末１００に送信する。これは、顧客には時間に余裕がある場合もあるため、全てのサービスを顧客に提示したうえで、何れのサービスを選択するかは顧客の意思に委ねるべきだからである。
【００８０】
そして、第１の実施形態では、顧客側ソート手段１１２Ｂにより顧客の要望に応じた特定の順序として、「価格順」、「提供時間順」、及び「希望時間順」に、検索結果送信手段２１２Ｃから送信される検索結果をソートすることができる。そのため、第１の実施形態によれば、全てのサービスを顧客に提示したうえで、そのサービスの中から顧客の要望に応じた検索結果にソートすることができる。
【００８１】
また、第１の実施形態では、顧客側端末１００は、上記のように、顧客側絞り込み手段１１２Ｃを更に含んでいる。
上記のように、第１の実施形態では、商品提供情報検索サーバ２００から顧客側端末１００に対しては、全てのサービスを顧客に提示したうえで、何れのサービスを選択するかを顧客の意思に委ねるために、図８に示す検索処理で検索された検索手段２１２Ｂによる検索結果のうち、上記の宅配サービス提供者情報と、上記の販売サービス提供者情報、及び上記の移動サービス提供者情報の組み合わせと、上記の移動サービス提供者情報との全てを送信している。
【００８２】
そして、第１の実施形態では、顧客が検索結果を絞り込むための特定の情報として、「役務の種類」、「価格」、「時間」及び「評価」に関する情報が設けられ、これらの情報を用いて顧客側絞り込み手段１１２Ｃにより検索結果の絞り込みが行われる。そのため、第１の実施形態によれば、全てのサービスを顧客に提示したうえで、そのサービスの中から顧客の要望に応じた検索結果に絞り込むことができる。
【００８３】
（第２の実施形態）
第２の実施形態の売買仲介システム１０について、第１の実施形態との重複部分を省略しつつ説明する。
【００８４】
図９は、第２の実施形態における売買仲介システム１０のシステム構成を示す模式図である。
図９に示すように、第２の実施形態の売買仲介システム１０は、第１の実施形態の構成に加えて、顧客が所有する食品が収納され、当該収納されている食品に関する収納情報を顧客側端末１００に送信可能な収納装置６００を備えている。なお、第２の実施形態における収納装置６００は、一例として「冷蔵庫」としている。
【００８５】
収納装置６００は、収納装置６００内に収納された食品を撮影する撮影手段（図示せず）と、撮影手段により撮影された画像を収納情報として送信する送信手段（図示せず）と、を少なくとも備えている。なお、第２の実施形態における送信手段（図示せず）は、第１の実施形態と同様のネットワークに無線で接続されており、顧客側端末１００とこのネットワークを介して通信可能となっている。
【００８６】
また、図１０に示すように、第２の実施形態の顧客側端末１００は、第１の実施形態の構成に加えて、顧客が発する音声の入力を受け付ける音声入力手段１６０を備えている。第２の実施形態では、一例として、この音声入力手段１６０を「マイクロフォン」としている。
【００８７】
そして、第２の実施形態における取得手段１１２Ａは、顧客が発する音声に基づいて食品情報を取得可能となっている。具体的には、この取得手段１１２Ａは、音声入力手段１６０により顧客が発した音声が入力された場合、顧客が発した音声を解析して対応する食品情報を記憶手段１２０の食品情報データベース１２０Ｂから取得する。
【００８８】
さらに、第２の実施形態における顧客側端末１００のＣＰＵ１１２は、第１の実施形態の構成に加えて、導出手段１１２Ｅとして機能する。
【００８９】
導出手段１１２Ｅは、取得手段１１２Ａが取得した食品情報、及び収納装置６００から送信される収納情報に基づいて、顧客が要望する食品のうち不足している食材のみを導出するものである。詳細は後述するが、この導出手段１１２Ｅは、取得手段１１２Ａが取得した食品情報、及び収納装置６００から送信される収納情報に基づいて、顧客が要望する食品のうち不足している食材に関する不足食材情報を導出する。なお、この「不足食材情報」には、送信元の顧客側端末１００を識別する「識別情報」が紐付けられており、何れの顧客側端末１００から「不足食材情報」が送信されたか否かが識別可能となっている。
【００９０】
次に、図１１を参照して、第２の実施形態における売買仲介システム１０の流れを、顧客の要望する食品を「オムライス」としつつ説明する。なお、第１の実施形態との重複部分については記載を省略する。
【００９１】
図１１は、第２の実施形態における売買仲介システム１０の流れを示す図である。
図１１に示すように、まず、顧客側端末１００では、食品情報取得処理が行われる。具体的には、食品情報取得処理では、音声入力手段１６０に入力された顧客が発した音声（例：「オムライスが食べたい」）が取得手段１１２Ａにより解析され、当該解析結果に対応する食品情報が記憶手段１２０の食品情報データベース１２０Ｂから取得される（例：「卵」、「米」、「鶏肉」、「玉ねぎ」、「牛乳」、「バター」、「塩」、「こしょう」、「トマトケチャップ」、及び「サラダ油」）。
【００９２】
顧客側端末１００では、食品情報取得処理が終了したことに基づいて、不足食材情報を導出する不足食材情報導出処理が行われる。具体的には、不足食材情報導出処理では、収納装置６００の図示しない撮影手段により撮影された収納装置６００内の画像が、図示しない送信手段により収納情報として顧客側端末１００に送信される。その後、不足食材情報導出処理では、顧客側端末１００により送信された収納情報が導出手段１１２Ｅにより解析され、当該解析結果に対応する食品情報が記憶手段１２０の食品情報データベース１２０Ｂから導出される（例：「米」、「玉ねぎ」、「牛乳」、「塩」、「こしょう」、「トマトケチャップ」、及び「サラダ油」）。そして、不足食材情報導出処理では、導出手段１１２Ｅにより、当該導出した収納情報に対応する食品情報と、食品情報取得処理にて取得された食品情報とが参照されて、不足食材情報が導出される（例：「卵」、「鶏肉」、及び「バター」）。
【００９３】
顧客側端末１００は、不足食材情報導出処理が終了したことに基づいて、不足食材情報導出処理で導出した不足食材情報を、送信処理手段１１２Ｄにより商品提供情報検索サーバ２００に送信する。
【００９４】
商品提供情報検索サーバ２００では、顧客側端末１００から不足食材情報を受信したことに基づいて、当該受信した不足食材情報の食品に対応するサービスを提供可能な各サービス提供者を検索する検索処理が行われる。
【００９５】
商品提供情報検索サーバ２００は、検索処理が終了したことに基づいて、検索結果送信手段２１２Ｃにより、上記の検索処理で検索された検索手段２１２Ｂによる検索結果のうち、上記の宅配サービス提供者情報と、上記の販売サービス提供者情報、及び上記の移動サービス提供者情報の組み合わせと、上記の移動サービス提供者情報とを顧客側端末１００へ送信する。
【００９６】
顧客側端末１００では、商品提供情報検索サーバ２００から送信された検索結果を表示手段１４０に表示する表示処理が行われる。
顧客側端末１００では、表示処理に続いて、検索結果のソート及び／又は絞り込みを行うソート処理・絞り込み処理が行われる。
【００９７】
顧客側端末１００では、ソート処理・絞り込み処理が終了したことに基づいて、送信処理手段１１２Ｄにより、検索手段２１２Ｂによる検索結果に基づく選択結果を商品提供情報検索サーバ２００に送信する。
【００９８】
商品提供情報検索サーバ２００では、顧客側端末１００から選択結果を受信したことに基づいて、仲介処理手段２１２Ｅにより、宅配サービス提供者側端末３００、販売サービス提供者側端末４００、又は移動サービス提供者側端末５００へ注文情報を送信する。
【００９９】
（第２の実施形態の作用効果）
第２の実施形態の構成によれば、以下の作用効果を奏する。なお、第１の実施形態との重複部分については記載を省略する。
【０１００】
第２の実施形態では、取得手段１１２Ａは、顧客が発する音声に基づいて食品情報を取得する。つまり、第２の実施形態では、顧客が食品情報を手入力する必要がない。
ここで、顧客には、他の家事の最中で手が離せない場合や、他の家事の最中で手が汚れている場合等により、手が空いていない状態がある。また、顧客には、家事の効率を上げるべく、複数の家事を同時に行いたいとの要求も存在する。
【０１０１】
そのため、第２の実施形態によれば、顧客が発する音声に基づいて取得手段１１２Ａが食品情報を取得可能なため、上記のような手が空いていない状態においても複数の家事を同時に行うことができ、顧客の家事効率の向上に寄与することができる。
【０１０２】
また、第２の実施形態では、上記のように、第１の実施形態に加えて、収納装置６００と、導出手段１１２Ｅとを備えている。
【０１０３】
そして、第２の実施形態では、導出手段１１２Ｅにより導出された不足食材情報が商品提供情報検索サーバ２００に送信され、この不足食材情報に基づいて商品提供情報検索サーバ２００から宅配サービス提供者側端末３００、販売サービス提供者側端末４００、又は移動サービス提供者側端末５００に注文が依頼される（注文情報が送信される）。これにより、第２の実施形態によれば、顧客が要望する食品を取得するにあたり、既に収納装置６００に収納されている食材を重複して取得することを抑制できる。
【０１０４】
（その他）
上記の実施形態では、宅配サービス提供者には、「デリバリー（配食）業者」、「宅配・ネットスーパー業者」、「移動スーパー業者」等の「業者」が含まれることとした。しかし、これに限らず、宅配サービス提供者には、売買仲介システム１０に登録している「近隣住民」等の「一般消費者」を含んでもよい。この場合、宅配サービス提供者である「近隣住民」は、顧客が要望する食品（例：完成品である「オムライス」）を自ら調理して提供してもよいし、顧客が要望する食品（例：材料である「卵」等）を、自己の収納装置６００から所謂「お裾分け」として提供してもよい。
【０１０５】
上記の実施形態では、移動サービス提供者のみが顧客の移動手段を提供することとしたが、これに限らず、宅配サービス提供者や販売サービス提供者も顧客の移動手段を提供してもよい。つまり、この場合における宅配サービス提供者や販売サービス提供者は、顧客が要望する商品を提供できる自店舗や倉庫等までの顧客の移動手段を提供することができる。
【０１０６】
上記の実施形態では、顧客側端末１００は、顧客が所有するスマートフォンとしたが、これに限らず、顧客側端末１００をタブレット端末やＰＣ等の他の通信端末としてもよい。
【０１０７】
上記の実施形態では、表示処理において、デフォルトで表示される検索結果の順序は「価格順」や「提供時間順」等の規則性を有さないこととした。しかし、これに限らず、表示処理におけるデフォルトの状態として、「価格順」や「提供時間順」等の規則性を有する順序が設定されていてもよい。
【０１０８】
上記の実施形態では、保冷を行う「冷蔵庫」を収納装置６００として説明したが、これに限らず、保温を行う「温蔵庫」を収納装置６００としてもよい。また、収納装置６００は、保冷機能及び保温機能を有しない構成であってもよい。
【０１０９】
上記の実施形態では、「商品」を「食品」としたが、これに限らず、「商品」を洗剤やスポンジ等の「日用品」としてもよい。
【０１１０】
上記の実施形態では、宅配サービス提供者データベース２２０Ｂ、販売サービス提供者データベース２２０Ｃ、移動サービス提供者データベース２２０Ｄ及び顧客データベース２２０Ｅを商品提供情報検索サーバ２００に備えることとしたが、これに限らず、これらのデータベースを商品提供情報検索サーバ２００から独立させてもよい。
【０１１１】
上記の実施形態では、顧客側端末１００に顧客側ソート手段１１２Ｂを設け、顧客側端末１００においてソート処理を行うこととした。しかし、これに限らず、商品提供情報検索サーバ２００に、検索手段２１２Ｂによる検索結果を用いて、顧客の要望に応じた特定の順序に検索結果をソート可能なソート手段を備え、商品提供情報検索サーバ２００においてソート処理を行うこととしてもよい。この場合、商品提供情報検索サーバ２００は、ソート処理において、検索結果送信手段２１２Ｃにより、上記のソート手段によりソートされた検索結果を、顧客側端末１００へ送信する。なお、この場合における「特定の順序」は、上記の実施形態と同様である。
【０１１２】
上記の実施形態では、顧客側端末１００に顧客側絞り込み手段１１２Ｃを設け、顧客側端末１００において絞り込み処理を行うこととした。しかし、これに限らず、商品提供情報検索サーバ２００に、検索手段２１２Ｂによる検索結果を用いて、顧客により選択された特定の情報を含む検索結果のみに絞り込む絞り込み手段を備え、商品提供情報検索サーバ２００において絞り込み処理を行うこととしてもよい。この場合、商品提供情報検索サーバ２００は、絞り込み処理において、検索結果送信手段２１２Ｃにより、上記の絞り込み手段により絞り込まれた検索結果を、顧客側端末１００へ送信する。なお、この場合における「特定の情報」は、上記の実施形態と同様である。
【０１１３】
上記の実施形態では、商品提供情報検索サーバ２００に検索手段２１２Ｂを設け、検索手段２１２Ｂによる検索結果を顧客側端末１００へ送信することとした。しかし、商品提供情報検索サーバ２００に検索手段２１２Ｂを設けずに、商品提供情報検索サーバ２００は、顧客側端末１００から受信した食品情報を宅配サービス提供者側端末３００、販売サービス提供者側端末４００、及び移動サービス提供者側端末５００に送信してもよい。
【０１１４】
この場合、商品提供情報検索サーバ２００は、移動サービス提供者側端末５００に対しては、顧客側端末１００から受信した食品情報とともに、この食品情報の食品を提供可能な販売サービス提供者に関する販売サービス提供者情報を送信することが望ましい。これにより、顧客が要望する食品を有しない移動サービス提供者に対して、顧客が要望する食品を提供可能な販売サービス提供者を知らせることができる。
【０１１５】
そして、上記の場合、商品提供情報検索サーバ２００は、移動サービス提供者側端末５００から、上記の販売サービス提供者情報に基づき決定された販売サービス提供者を示す情報と、移動提供価格情報と、提供可能時間情報と、を含んだ移動サービスを示す情報を受信する。上記の移動サービスを示す情報を受信した商品提供情報検索サーバ２００は、販売サービス提供者データベース２２０Ｃから、当該移動サービスを示す情報に対応する販売サービス提供者の食品価格情報を読み出し、顧客が要望する食品の価格を決定する。
【符号の説明】
【０１１６】
１０  売買仲介システム                          １００  顧客側端末
１１０  制御手段                                １１２  ＣＰＵ
１１２Ａ  取得手段                              １１２Ｂ  顧客側ソート手段
１１２Ｃ  顧客側絞り込み手段                    １１２Ｄ  送信処理手段
１１２Ｅ  導出手段                              １１４  ＲＯＭ
１１６  ＲＡＭ                                  １１８  Ｉ／Ｏ
１２０  記憶手段                                １２０Ａ  注文処理プログラム
１２０Ｂ  食品情報データベース                  １３０  操作手段
１４０  表示手段                                １４１  プルダウンメニュー
１４２  絞り込みスイッチ                        １４３  提供時間情報
１４４  差分情報                                １４５  絞り込み条件メニュー
１４６  絞り込み開始ボタン                      １５０  通信手段
１６０  音声入力手段                            ２００  商品提供情報検索サーバ
２１０  制御手段                                ２１２  ＣＰＵ
２１２Ａ  商品情報取得手段                      ２１２Ｂ  検索手段
２１２Ｃ  検索結果送信手段                      ２１２Ｄ  選択結果取得手段
２１２Ｅ  仲介処理手段
２１４  ＲＯＭ                                  ２１６  ＲＡＭ
２１８  Ｉ／Ｏ                                  ２２０  記憶手段
２２０Ａ  注文処理プログラム                    
２２０Ｂ  宅配サービス提供者データベース
２２０Ｃ  販売サービス提供者データベース
２２０Ｄ  移動サービス提供者データベース
２２０Ｅ  顧客データベース                      ２３０  通信手段
３００  宅配サービス提供者側端末                ４００  販売サービス提供者側端末
５００  移動サービス提供者側端末                ６００  収納装置
【図１】
2019159649.tif 000003
【図２】
2019159649.tif 000004
【図３】
2019159649.tif 000005
【図４】
2019159649.tif 000006
【図５】
2019159649.tif 000007
【図６】
2019159649.tif 000008
【図７】
2019159649.tif 000009
【図８】
2019159649.tif 000010
【図９】
2019159649.tif 000011
【図１０】
2019159649.tif 000012
【図１１】
2019159649.tif 000013